(57)【要約】【課題】光源ユニットを器具本体に取り付ける照明装置において、長尺状であっても、光源ユニットの取付性のよい器具本体を提供する。【解決手段】長尺状の照明装置１００１は、光源ユニット２００を器具本体１００に取り付ける３つの取付具として、第１の取付バネ１３０−１と第１の連結具２５０−１との組、第２の取付バネ１３０−２と第２の連結具２５０−２との組、第３の取付バネ１３０−３と第３の連結具２５０−３との組の３組を有する。光源ユニット２００が器具本体１００に取り付けられた状態では、光源ユニット２００と器具本体１００との間に、第１の取付バネ１３０−１と第１の連結具２５０−１との組と、第３の取付バネ１３０−３と第３の連結具２５０−３との組とが照明装置１００１の長手方向の両端側に配置され、第２の取付バネ１３０−２と第２の連結具２５０−２との組が、照明装置１００１の長手方向の中央側に配置される。【選択図】図８
2019175873.tif 000002
【特許請求の範囲】
【請求項１】
長尺状の照明装置であって、
長尺状の光源ユニットと、
前記光源ユニットが取り付けられる長尺状の器具本体と、
前記光源ユニットを前記器具本体に取り付けるための３つの取付具と、
を備え、
前記３つの取付具は、
前記光源ユニットが前記器具本体に取り付けられた状態で、前記光源ユニットと前記器具本体との間において、前記照明装置の長手方向の両端の側と、前記照明装置の前記長手方向の中央の側とに配置された照明装置。
【請求項２】
前記照明装置の前記長手方向の前記両端の側のうち一方の端の側に配置された取付具は、
第１の取付バネを有し、
前記照明装置の前記長手方向の前記中央の側に配置された取付具は、
第２の取付バネを有し、
前記照明装置の前記長手方向の前記両端の側のうち他方の端の側に配置された取付具は、
第３の取付バネを有し、
前記光源ユニットは、
前記第１の取付バネ、前記第２の取付バネ、及び、前記第３の取付バネのバネ力によって前記器具本体の側に引っ張られた状態で、前記器具本体に取り付けられる請求項１に記載の照明装置。
【請求項３】
前記第１の取付バネ、及び、前記第３の取付バネは、
前記照明装置の前記長手方向の前記中央に対して前記バネ力が対称に働くように、前記光源ユニットと前記器具本体との間に配置される請求項２に記載の照明装置。
【請求項４】
前記第１の取付バネ、前記第２の取付バネ、及び、前記第３の取付バネは、
長手形状であり、
前記第１の取付バネ、前記第２の取付バネ、及び、前記第３の取付バネは、
それぞれの長手方向が前記照明装置の前記長手方向に沿うように配置される請求項２又は請求項３に記載の照明装置。
【発明の詳細な説明】
【技術分野】
【０００１】
この発明は、光源ユニットと器具本体とを備える照明装置に関する。
【背景技術】
【０００２】
光源ユニットを器具本体に取り付けるタイプの照明装置において、取付バネを用いる照明装置がある。この照明装置は、長尺状の器具本体に、２本の光源ユニットを長手方向に引き続いて取り付けるものであり、それぞれの光源ユニットが取り付けられる器具本体の長手方向の両端側に、取り付け具である引っ掛けバネと、バネ受け部を有する構成である（例えば特許文献１）。
【先行技術文献】
【特許文献】
【０００３】
【特許文献１】特許第５６６７２６２号公報
【発明の概要】
【発明が解決しようとする課題】
【０００４】
しかし、従来の場合は、器具本体に光源ユニットを取り付けるときに、光源ユニットが２つあるため、それぞれの光源ユニットを取り付けなければならないという手間があった。また、２つの光源ユニットを一つの光源ユニットにした場合は、長尺ゆえに器具本体に光源ユニットが取り付けにくいというおそれがあった。
【０００５】
この発明は、長尺の光源ユニットと長尺の器具本体とを備える照明装置であっても、作業者が光源ユニットを器具本体に取り付ける際に、取付性のよい光源ユニット、取付性のよい器具本体の提供を目的とする。
【課題を解決するための手段】
【０００６】
この発明の照明装置は、
長尺状の照明装置であって、
長尺状の光源ユニットと、
前記光源ユニットが取り付けられる長尺状の器具本体と、
前記光源ユニットを前記器具本体に取り付けるための３つの取付具と、
を備え、
前記３つの取付具は、
前記光源ユニットが前記器具本体に取り付けられた状態で、前記光源ユニットと前記器具本体との間において、前記照明装置の長手方向の両端の側と、前記照明装置の前記長手方向の中央の側とに配置されている。
【発明の効果】
【０００７】
本発明によれば、作業者が器具本体へ光源ユニットを取り付ける際の取付性が向上する。
【図面の簡単な説明】
【０００８】
【図１】実施の形態１の図で、照明装置１００１の斜視図。
【図２】実施の形態１の図で、照明装置１００１の分解斜視図。
【図３】実施の形態１の図で、図２のＦ方向からみた器具本体１００の図。
【図４】実施の形態１の図で、本体部１１０の分解斜視図。
【図５】実施の形態１の図で、図１のＡ−Ａ断面図。
【図６】実施の形態１の図で、図５の器具本体１００と光源ユニット２００とを分けた図。
【図７】実施の形態１の図で、図２のＢ部の拡大図。
【図８】実施の形態１の図で、光源ユニット２００を器具本体１００に取り付ける工程を示す図。
【図９】実施の形態１の図で、光源ユニット２００の分解斜視図。
【図１０】実施の形態１の図で、電源装置２２０の配置を示す簡略図。
【図１１】実施の形態１の図で、取付バネ１３０の側面図。
【図１２】実施の形態１の図で、連結具２５０の斜視図。
【図１３】実施の形態１の図で、電源端子台１２１と電源装置２２０との別の接続構成を示す図。
【図１４】実施の形態２の図で、照明装置１００２の光源ユニット２００のＬＥＤの配置を示す図。
【図１５】実施の形態２の図で、ＬＥＤどうしの間隔Ｘ１，間隔Ｘ２の例を示す図。
【図１６】実施の形態３の図で、照明装置１００３において、光源ユニット２００を器具本体１００に取り付ける工程を示す図。
【図１７】実施の形態４の図で、照明装置１００４において、光源ユニット２００を器具本体１００に取り付ける工程を示す図。
【図１８】実施の形態４の図で、器具本体１００の保持部１４０を示す部分拡大図。
【図１９】実施の形態４の図で、差込部２８０を示す光源ユニット２００の斜視図。
【図２０】実施の形態４の図で、差込部２８０の光源取付部２１０−３への取付状態を示す斜視図。
【図２１】実施の形態４の図で、差込部２８０の斜視図。
【図２２】実施の形態４の図で、差込部２８０の側面図。
【図２３】実施の形態４の図で、図１７（ａ）（ｄ）に対応する差込部２８０の差し込み状態を示す断面図。
【発明を実施するための形態】
【０００９】
以下では実施の形態１〜４の照明装置を説明するが、実施の形態１〜４の照明装置をそれぞれ、照明装置１００１、１００２、１００３，１００４と記す。
【００１０】
実施の形態１．
＜＊＊＊構成の説明＊＊＊＞
図１〜図１３を用いて、本実施の形態における照明装置１００１の構成を説明する。
【００１１】
＜照明装置１００１＞
図１は、照明装置１００１の斜視図である。照明装置１００１は長手形状であり、その長手方向を長手方向Ｘ、短手方向を短手方向Ｙとする。なお後述する器具本体１００及び光源ユニット２００も長手形状をなすが、これらの長手方向、短手方向も長手方向Ｘ、短手方向Ｙと記す。
図２は、照明装置１００１を器具本体１００と、光源ユニット２００とに分解した分解斜視図である。図２に示すように、照明装置１００１は、器具本体１００と、器具本体１００に取り付けられる光源ユニット２００とを備える。
【００１２】
＜器具本体１００＞
図３は、器具本体１００を図２のＦ方向からみた図である。図３に示すように、器具本体１００は、本体部１１０と、本体部１１０に取り付けられる電源電線取付部１２０、及び光源ユニット２００を器具本体１００に取り付けるための３つの取付バネ１３０を有する。
【００１３】
＜本体部１１０＞
図４は、本体部１１０の分解斜視図を示す。本体部１１０は、長尺状の凹状に形成された凹部１１１と、凹部１１１の短手方向Ｙの両側面に形成される傾斜部１１２−１、１１２−２と、長手方向Ｘの両端部に取り付けられる２つの端板部１１８−１、１１８−２とを備える。
【００１４】
図５は、図１のＡ−Ａ断面図であり、図３にＡ−Ａ断面の位置を示した。図３のように、Ａ−Ａ断面は後述の移動規制部１１３を切断していない位置である。
図６は、図５における器具本体１００と、光源ユニット２００とを分離した状態を示す。
【００１５】
図４、図５に示すように、凹部１１１は、長尺形状をなす平板形状の平板部１１１−３と、平板部１１１−３の長手方向Ｘに沿う一方の縁から起立方向Ｄへ起立する第１の器具本体側壁部１１１−１と、平板部１１１−３の長手方向Ｘに沿う他方の縁から起立方向Ｄへ起立する第２の器具本体側壁部１１１−２とから成る。図５に示すように、凹部１１１は、光源ユニット２００の後述する第１の光源ユニット側壁部２０１及び後述する第２の光源ユニット側壁部２０２（図６（ｂ）参照）が収納されている。
【００１６】
＜移動規制部１１３＞
凹部１１１は、第１の移動規制部１１３−１及び複数の第２の移動規制部１１３−２を、それぞれ複数有する。なお区別する必要のない場合は、これらを移動規制部１１３と記載する。第１の器具本体側壁部１１１−１の備える複数の移動規制部１１３を、第１の移動規制部１１３−１とし、第２の器具本体側壁部１１１−２の備える複数の移動規制部１１３を、第２の移動規制部１１３−２とする。本実施の形態では、図３に示すように４個の第１の移動規制部１１３−１、４個の第２の移動規制部１１３−２がある。なお、移動規制部１１３は最低１個あればよい。つまり、移動規制部１１３は、第１の器具本体側壁部１１１−１に１個形成され、あるいは、第２の器具本体側壁部１１１−２に１個形成されていればよい。
図７は、移動規制部１１３の形状を示すための図であり、図２のＢ部の拡大図である。図７は第２の移動規制部１１３−２を示している。図７に示すように、第２の移動規制部１１３−２は、第２の器具本体側壁部１１１−２から切り起こされて、Ｕ字状に折り曲げられて形成されている。図示していないが、第１の移動規制部１１３−１も、第１の器具本体側壁部１１１−１から切り起こされて、Ｕ字状に折り曲げられて形成されている。
【００１７】
＜凹部１１１＞
図５、図６を参照して移動規制部１１３を詳しく説明する。以下では第１の移動規制部１１３−１について説明するが、第２の移動規制部１１３−２についても同様である。第１の移動規制部１１３−１は、第１の上方向移動規制部１１３ａ−１，第１の横方向移動規制部１１３ｂ−１を有する。また第１の横方向移動規制部１１３ｂ−１は、第１のラッチ部１１４−１を有する。図５に示すように、第１の上方向移動規制部１１３ａ−１は、起立方向Ｄを下とし、起立方向Ｄと反対方向を上とした場合に、第１の光源ユニット側壁部２０１よりも上に配置され、上方向への第１の光源ユニット側壁部２０１の移動を規制する。また図５に示すように、第１の横方向移動規制部１１３ｂ−１は、光源ユニット２００の短手方向Ｙを横方向Ｅとした場合に、第１の光源ユニット側壁部２０１の、第１の器具本体側壁部１１１−１から第２の器具本体側壁部１１１−２に向かう横方向Ｅへの移動を規制する。図６（ａ）のように、第１の横方向移動規制部１１３ｂ−１の先端部は「く」の字状に折り曲げられて、第１のラッチ部１１４−１を構成する。第１のラッチ部１１４−１は、長手方向Ｘを法線方向とする断面の形状が、頂上が第１の器具本体側壁部１１１−１に向かう横向きの山型形状になるように折り曲げられている。なおラッチ部についてのさらに詳しい説明は後述する。
【００１８】
＜電源電線取付部１２０＞
図３に示すように、電源電線取付部１２０は、外部から引き込まれた電線が挿入される電源端子台１２１と、電源端子台１２１から引き出された電線１２３と、電線１２３の先端に取り付けられたコネクタ１２２とを有する。
【００１９】
＜取付バネ１３０＞
図８は光源ユニット２００を器具本体１００に取り付ける工程を示すが、図８、図３に示すように、器具本体１００には長手方向両側と、略中央の３か所に取付バネ１３０が取り付けられる。これらの取付バネを、第１の取付バネ１３０−１、第２の取付バネ１３０−２、第３の取付バネ１３０−３と記す。区別の必要がない場合は取付バネ１３０と記す。これらの取付バネの構成は同じである。
図１１は、取付バネ１３０の側面図である。なお図５に示すように取付バネ１３０の幅Ｗは一定である。
取付バネ１３０は、固定部１３１と、係合部１３２と、端部に先端係止部１３３ａが形成されている円弧部１３３と有する。固定部１３１は本体部１１０に固定される。係合部１３２は、固定部１３１からθ１の角度で折り曲げられて、さらにθ２、θ３の角度で折り曲げられて形成される。円弧部１３３は、係合部１３２からθ４の角度で曲げられ、Ｒ形状に形成される。先端係止部１３３ａは円弧部１３３の先端が折り曲げられて形成される。
【００２０】
固定部１３１から先端係止部１３３ａに向かう方向をバネ長手方向１３９と定義した場合、図８のように第１の取付バネ１３０−１、第３の取付バネ１３０−３は、バネ長手方向１３９が反対方向を向くように配置される。なお第１の取付バネ１３０−１と第３の取付バネ１３０−３とのバネ長手方向１３９は、向かい合ってもよい。第１の取付バネ１３０−１と第３の取付バネ１３０−３とのバネ長手方向１３９が反対方向を向き、あるいは向かい合う場合、２つの取付バネ１３０によるバネ力は、図８（ｄ）に示す長手方向Ｘの中央位置の中心軸Ｃに対して線対称に働く。また、器具本体１００の略中央に取り付けられる第２の取付バネ１３０−２は、バネ長手方向１３９が第１の取付バネ１３０−１，第３の取付バネ１３０−３の一方と同じ方向に取り付けられる。図８では第２の取付バネ１３０−２は、第３の取付バネ１３０−３と同じ方向にバネ長手方向１３９が向いている。したがって第２の取付バネ１３０−２では、第１の取付バネ１３０−１のバネ力と対向するように対称にバネ力が働く。このように、第１の取付バネ１３０−１を基準に考えると、第１の取付バネ１３０−１と第３の取付バネ１３０−３、第１の取付バネ１３０−１と第２の取付バネ１３０−２がそれぞれ一対となって、互いに対向する方向にバネ力が生じる。
【００２１】
＜光源ユニット２００＞
図９は光源ユニット２００の分解斜視図である。なお、図９では電源装置２２０及び連結具２５０は示していない。光源ユニット２００は、取付部２１０、２つの電源装置２２０、２つのＬＥＤモジュール２３０、透光性カバー２４０、光源蓋部２４０−１，２４０−２、３個の連結具２５０を有する。２つの電源装置２２０は、取付部２１０の他方の面２１０−３ｂに取り付けられる。２つのＬＥＤモジュール２３０は、一方の面２１０−３
ａに取り付けられている。光源蓋部２４０−１，２４０−２は、透光性カバー２４０の両端を塞ぐ。３個の連結具２５０は対応する取付バネ１３０と連結する。なお、２つの電源装置２２０等を区別する場合は、第１の電源装置２２０−１等のように記す。
【００２２】
＜取付部２１０＞
取付部２１０は、「コ」の字状に折り曲げられて形成される。図６、図９に示すように、取付部２１０は、光源取付部２１０−３、第１の取付側壁部２１０−１、第２の取付側壁部２１０−２を有する。光源取付部２１０−３は、長手形状で平板形状である。第１の取付側壁部２１０−１は、光源取付部２１０−３の長手方向Ｘに沿う一方の縁から起立する。第２の取付側壁部２１０−２は、光源取付部２１０−３の長手方向Ｘに沿う他方の縁から起立する。第１の取付側壁部２１０−１及び第２の取付側壁部２１０−２の端部には、カール加工によってカール形状に折り曲げられた第１のカール部２１０−１ａ、第２のカール部２１０−２ａが形成されている。
【００２３】
＜電源装置２２０＞
図８に示すように、長手形状の２つの電源装置２２０は、光源取付部２１０−３の他方の面２１０−３ｂに取り付けられる。図１０は、図９のＧ方向から見た場合の、第１の電源装置２２０−１、第２の電源装置２２０−２の配置を示す。第１の電源装置２２０−１は、光源取付部２１０−３の他方の面２１０−３ｂに光源取付部２１０−３の長手方向Ｘに沿って取り付けられ、第１の光源部８２３０−１である第１の光源モジュール２３０−１に電力を供給する。第２の電源装置２２０−２は、光源取付部２１０−３の他方の面２１０−３ｂに光源取付部２１０−３の長手方向Ｘに沿って第１の電源装置２２０−１と共に一列状に配置され、第２の光源部８２３０−２である第２のＬＥＤモジュール２３０−２に電力供給する。
【００２４】
＜ＬＥＤモジュール２３０＞
図９に示すように、第１のＬＥＤモジュール２３０−１、第２のＬＥＤモジュール２３０−２は、いずれも、複数のＬＥＤ２３１と、複数のＬＥＤ２３１が実装された基板２３２とを有する。
【００２５】
第１のＬＥＤモジュール２３０−１は、長手形状をなし、光源取付部２１０−３の一方の面２１０−３ａに、光源取付部２１０−３の長手方向Ｘに沿って取り付けられる。第２のＬＥＤモジュール２３０−２は、長手形状をなし、第１のＬＥＤモジュール２３０−１に対して一列状に配置されるように一方の面２１０−３ａに、光源取付部２１０−３の長手方向Ｘに沿って取り付けられる。
【００２６】
図８（ｃ）に、電源線の配線関係を模式的に示した。電源端子台１２１のコネクタ１２２は、第２の電源装置２２０−２から引き出された電線２２３に接続されたコネクタ２２２と接続する。第１の電源装置２２０−１は、第２の電源装置２２０−２と電線３１０で接続されており、第２の電源装置２２０−２を介して、電源端子台１２１からの電力供給を受ける。図９のように、光源取付部２１０−３の長手方向Ｘの両端には、切欠き２１０Ｌ，２１０Ｒが形成されている。ＬＥＤモジュール２３０と、電源装置２２０との結線は、取付部２１０の長手方向のそれぞれの端部を介して行う。図８（ｃ）、図１０のように、第１の電源装置２２０−１から引き出された電線３１１は、光源取付部２１０−３の長手方向Ｘの左側端部に形成された切欠き２１０ＬでＵ字状３１１Ｌに折り返されて、第１のＬＥＤモジュール２３０−１に接続される。同様に、第２の電源装置２２０−２から引き出された電線３１２は、光源取付部２１０−３の長手方向Ｘの右側端部の切欠き２１０ＲでＵ字状３１２Ｒに折り返されて、第２のＬＥＤモジュール２３０−２に接続される。
【００２７】
このようにＵ字状３１１Ｌ及びＵ字状３１２Ｒに折り返すことで、光源取付部２１０−
３の長手方向Ｘの中央部に配線用の穴を設ける必要がなくなり、穴を設けた場合に比べ、光源取付部２１０−３及び基板２３２による、ＬＥＤ光の反射面積を大きくできる。
また、電線３１１と、電線３１２とを、Ｕ字状３１１Ｌ及びＵ字状３１２Ｒで折り返すことで、電線３１１、電線３１２の押えを、光源蓋部２４０−１、２４０−２で兼用できるため、少ない部品で電線３１１，３１２を保持できる。
【００２８】
＜透光性カバー２４０＞
図６に示すように、透光性カバー２４０は、カバー本体２４１、第１のカバー側壁部２４２−１、第２のカバー側壁部２４２−２、第１の支持部２４３−１、第２の支持部２４３−２を備える。
（１）カバー本体２４１は、一方の縁２４１−１と他方の縁２４１−２との間に形成され、長手方向Ｘを法線方向とする断面が円弧形状である。
（２）第１のカバー側壁部２４２−１は、カバー本体２４１の長手方向Ｘに向かう一方の縁２４１−１を基端部として起立する。第１のカバー側壁部２４２−１の先端には、Ｕ字状に曲げられた第１の引っ掛け部２４２−１ａが形成されている。
（３）第２のカバー側壁部２４２−２は、カバー本体２４１の長手方向Ｘに向かう他方の縁２４１−２を基端部として起立する。第２のカバー側壁部２４２−２の先端には、Ｕ字状に曲げられた第２の引っ掛け部２４２−２ａが形成されている。
（４）第１の支持部２４３−１は、第１のカバー側壁部２４２−１の途中から、第２のカバー側壁部２４２−２の方向へ突き出す板形状である。第１の支持部２４３−１の先端には、第１のカバー側壁部２４２−１の起立方向に凸となる第１の支持凸部２４３−１ａが形成されている。
（５）第２の支持部２４３−２は、第２のカバー側壁部２４２−２の途中から、第１のカバー側壁部２４２−１の方向へ突き出す板形状である。第２の支持部２４３−２の先端には、第２のカバー側壁部２４２−２の起立方向に凸となる第２の支持凸部２４３−２ａが形成されている。
【００２９】
＜取付部２１０への透光性カバー２４０の取り付け＞
透光性カバー２４０は、ＬＥＤモジュール２３０を覆うように、取付部２１０に取り付けられる。透光性カバー２４０と、取付部２１０との取付けは以下の様である。図６（ｂ）に示すように、第１の引っ掛け部２４２−１ａが第１のカール部２１０−１ａに引っ掛かり、第２の引っ掛け部２４２−２ａが第２のカール部２１０−２ａに引っ掛かる。また、この状態で、第１の支持凸部２４３−１ａ及び第２の支持凸部２４３−２ａが一方の面２１０−３ａを押している。つまり、第１の引っ掛け部２４２−１ａ及び第２の引っ掛け部２４２−２ａと、第１の支持凸部２４３−１ａ及び第２の支持凸部２４３−２ａとで、取付部２１０を挟み込むことで、透光性カバー２４０が取付部２１０に取り付けられる。
【００３０】
＜光源ユニット側壁部＞
図６（ｂ）に示すように、第１の取付側壁部２１０−１に装着されている部分の第１のカバー側壁部２４２−１の一部と、第１の取付側壁部２１０−１とは、第１の光源ユニット側壁部２０１を構成する。また、第２の取付側壁部２１０−２に装着されている部分の第２のカバー側壁部２４２−２の一部と、第２の取付側壁部２１０−２とは、第２の光源ユニット側壁部２０２を構成する。図５に示すように、照明装置１００１では、第１の光源ユニット側壁部２０１は、第１の器具本体側壁部１１１−１の起立方向Ｄの第１の器具本体側壁部１１１−１の端部に対向して配置される。また、第２の光源ユニット側壁部２０２は、起立方向Ｄの第２の器具本体側壁部１１１−２の端部に対向して配置される。
【００３１】
＜ラッチ部の形状＞
図５に示すように、第１の光源ユニット側壁部２０１は、上方向の端部２０１Ｕの横方向Ｅの幅Ｗ２が、上方向の端部２０１Ｕよりも下の部分２０１Ｌの横方向の幅Ｗ１よりも大きい。第１の横方向移動規制部１１３ｂ−１は、第１の光源ユニット側壁部２０１を第１の器具本体側壁部１１１−１との間に挟んで第１の器具本体側壁部１１１−１に対向する板形状をなす。第１の横方向移動規制部１１３ｂ−１は、第１の光源ユニット側壁部２０１よりも上から、第１の光源ユニット側壁部２０１の上方向の端部２０１Ｕよりも下の位置まで形成される。第１のラッチ部１１４−１において、第１の光源ユニット側壁部２０１の上方向の端部２０１Ｕよりも下の位置における第１の器具本体側壁部１１１−１に対向するラッチ部内面１１５−１（図６）と、第１の器具本体側壁部１１１−１の内面１１１−１ａ（図６）との横方向の寸法を寸法Ｂ１とする。図５に示すように、寸法Ｂ１は、第１の光源ユニット側壁部２０１の上方向の端部２０１Ｕ横方向の幅Ｗ２の寸法よりも小さい。
【００３２】
第１のラッチ部１１４−１について、より具体的には、以下の様である。第１の光源ユニット側壁部２０１は、下から上に向かうに従って横方向の幅寸法が最大となる最大幅Ｗ２が存在する。第１の横方向移動規制部１１３ｂ−１は、第１の光源ユニット側壁部２０１を第１の器具本体側壁部１１１−１との間に挟み、かつ、第１の器具本体側壁部１１１−１に対向する板形状をなす。第１の横方向移動規制部１１３ｂ−１は、第１の光源ユニット側壁部２０１よりも上から下に向かって第１の光源ユニット側壁部２０１の最大幅Ｗ２の位置よりも下の位置まで形成される。第１の横方向移動規制部１１３ｂ−１の第１のラッチ部１１４−１は、最大幅Ｗ２よりも下の位置における第１の器具本体側壁部１１１−１に対向する内面１１５−１と第１の器具本体側壁部１１１−１の内面１１１−１ａとの横方向Ｅにおける最小寸法Ｂ１が、最大幅Ｗ２の幅寸法よりも小さい。
【００３３】
第２の移動規制部１１３−２と第２の光源ユニット側壁部２０２との関係は、第１の移動規制部１１３−１と第１の光源ユニット側壁部２０１との関係と同じであるため説明は省略する。なお、図５に第２の光源ユニット側壁部２０２、上方向の端部２０２Ｕ、上方向の端部２０２Ｕよりも下の部分２０２Ｌを示した。
【００３４】
＜連結具２５０＞
光源ユニット２００には、３つの連結具２５０が配置される。これらは構成が同じである。これらを第１の連結具２５０−１、第２の連結具２５０−２、第３の連結具２５０−３とする。第１の連結具２５０−１〜第３の連結具２５０−３は、それぞれ、第１の取付バネ１３０−１〜第３の取付バネ１３０−３に対応する。
図１２は連結具２５０の斜視図である。連結具２５０は、取付部２１０の他方の面２１０−３ｂに固定される固定部２５１と、取付バネ１３０が挿入される開口２５２が形成された立上部２５３と、立上部２５３から斜め方向に折り曲げられて形成される当接部２５４とを有する。連結具２５０は、光源取付部２１０−３に形成された取付側固定部２１０ｃに、ねじ２１０ｄによって固定される。
【００３５】
＜取付け工程＞
次に、図８を参照して、光源ユニット２００の器具本体１００への取付工程を説明する。
【００３６】
（図８（ａ））
まず、天井などの被取付部材に器具本体１００を取り付け、外部から引き込んだ電源電線を電源端子台１２１に挿入し、電源電線を電源端子台１２１に物理的、電気的に接続した状態とする。
【００３７】
（図８（ｂ））
次に、器具本体１００の第１の取付バネ１３０−１を引き下げて、第１の連結具２５０−１の開口２５２に挿入する。その後、中央の第２の取付バネ１３０−２を引き下げて、光源ユニット２００の略中央に設けられる第２の連結具２５０−２の開口２５２に第２の取付バネ１３０−２を挿入する。このとき作業者は、第１の連結具２５０−１、第２の連結具２５０−２のそれぞれの開口２５２に挿入した第１の取付バネ１３０−１、第２の取付バネ１３０−２の先端係止部１３３ａを、開口２５２の縁２５２ａに引っ掛ける。これにより、光源ユニット２００を器具本体１００に仮止め状態にできる。さらに、作業者は、第１の取付バネ１３０−１の係合部１３２が当接部２５４に当たるように係合させて、第１の取付バネ１３０−１を第１の連結具２５０−１に対して連結状態にし、第２の取付バネ１３０−２の先端係止部１３３ａを、第２の連結具２５０−２の開口２５２の縁２５２ａに引っ掛けた状態にする。この状態が図８（ｂ）である。図８（ｂ）に示すように、光源ユニット２００は、器具本体１００に対して鋭角θとなるように斜めに取り付けられた状態となる。
【００３８】
よって、光源ユニット２００の第３の連結具２５０−３側では、光源ユニット２００と器具本体１００との間が離れた状態となる。このため第２の電源装置２００−２から引き出された電線２２３のコネクタ２２２と、電源端子台１２１から引き出された電線１２３のコネクタ１２２とを接続するための作業スペースを、広く確保できる。よって、コネクタ１２２とコネクタ２２２との接続がし易く、作業性が向上する。
【００３９】
（図８（ｃ））
コネクタ１２２とコネクタ２２２の接続が完了した場合、作業者は、第３の取付バネ１３０−３を、第３の連結具２５０−３の開口２５２に挿入し、各取付バネ１３０の先端係止部１３３ａを各開口２５２の縁２５２ａに引っ掛けて図８（ｃ）の状態にする。そして、作業者は、光源ユニット２００を器具本体１００の方向へ押し上げ、光源ユニット２００を器具本体１００に取り付ける。
【００４０】
（図８（ｄ））
図８（ｄ）の状態では、３つの取付バネ１３０の係合部１３２が、対応する連結具２５０の当接部２５４に当たって係合している。図８（ｄ）の状態では、図５に示すように、光源ユニット２００は３つの取付バネ１３０によって器具本体１００の側である上方向へ引っ張られている。その場合、第１の光源ユニット側壁部２０１、第２の光源ユニット側壁部２０２は、第１の上方向移動規制部１１３ａ−１、第２の上方向移動規制部１１３ａ−２に当接し、上方向への移動が規制される。
【００４１】
＜＊＊＊効果の説明＊＊＊＞
従来の照明装置の場合、器具本体に光源ユニットを取り付けるときに、光源ユニットの形状によっては、器具本体の収容空間の、より内部まで入り込んでしまう恐れがあった。これに対して照明装置１００１によれば、上方向移動規制部を有する移動規制部を備えているので、光源ユニット２００が本体部１１０の凹部１１１に入り込み過ぎるのを防止することができ、光源ユニット２００を本来の位置に取り付けることができる。よって、作業者が器具本体へ光源ユニットを取り付ける際の、取付性が向上する。
【００４２】
また、移動規制部１１３は、横方向移動規制部を有する移動規制部を備えているので、横方向移動規制部は作業者が器具本体へ光源ユニットを取り付ける際の、横方向の位置決めとなる。よって作業者が器具本体へ光源ユニットを取り付ける際の、取付性が向上する。
【００４３】
また、第１の光源ユニット側壁部２０１が、第１の上方向移動規制部１１３ａ−１に当接したとき、第１のラッチ部１１４−１は、第１の光源ユニット側壁部２０１の上方向の端部２０１Ｕよりも下方を第１の器具本体側面部１１１−１の内面１１１−１ａとの間に挟み込む。同様に、第２の光源ユニット側壁部２０２が、第２の上方向移動規制部１１３ａ−２に当接したとき、第２のラッチ部１１４−２は、第２の光源ユニット側壁部２０２の上方向の端部２０２Ｕよりも下方を第２の器具本体側面部１１１−２の内面１１１−２ａとの間に挟み込む。そのため、光源ユニット２００に自重によるたわみが生じるような場合でも、第１のラッチ部１１４−１、第２のラッチ部１１４−２が、第１の光源ユニット側壁部２０１の上方向の端部２０１Ｕ，第２の光源ユニット側壁部２０２の上方向の端部２０２Ｕを挟み込むことで、光源ユニット２００のたわみを矯正できる。つまり、図５において、第１の光源ユニット側壁部２０１の最大幅Ｗ２の箇所が第１のラッチ部１１４−１の最小幅Ｂ１の位置よりも下方に行こうとした場合、Ｗ２＞Ｂ１であるので、第１のラッチ部１１４−１は、最大幅Ｗ２の箇所が下方へ移動することを抑制する。これは、第２のラッチ部１１４−２についても同様である。このようにラッチ部１１４によって、自重による光源ユニット２００の下方への移動を、抑制できる。
【００４４】
また、光源ユニット２００を、器具本体１００から外すときあるいは器具本体１００に取り付けるときには、第１の光源ユニット側壁部２０１の上方向の端部２０１Ｕ及び第２の光源ユニット側壁部２０２の上方向の端部２０２Ｕの最大幅Ｗ２の箇所が、各ラッチ部１１４の最小幅Ｂ１の箇所を通り抜ける。この際には、最大幅Ｗ２の箇所によって各ラッチ部１１４は横方向Ｅに弾性変形されるので、適度な装着感があり、作業者は、光源ユニット２００の着脱状態を認識できる。
【００４５】
なお、実施の形態１では図８（ｃ）のように、器具本体１００に配置された電源端子台１２１と第２の電源装置２２０−２とがコネクタ１２２，２２２で接続され、第１の電源装置２２０−１は第２の電源装置２２０−２を介して電源端子台１２１からの電力供給を受ける構成であった。この構成の他、図１３に示す構成でもよい。
図１３（ａ）（ｂ）はそれぞれ図８（ｃ）（ｄ）に相当する。図１３（ａ）に示すように、光源ユニット２００は、取付部２１０の他方の面２１０−３ｂに配置された電源端子台２６１を備える。電源端子台２６１は、コネクタ２６２が取り付けられた電線２６３を有する。コネクタ２６２は電源端子台１２１のコネクタ１２２と接続している。第１の電源装置２２０−１は電源端子台２６１と電線２６４で接続し、第２の電源装置２２０−２は電源端子台２６１と電線２６５で接続している。よって、第１の電源装置２２０−１及び第２の電源装置２２０−２は、電源端子台２６１を介して、電源端子台１２１から電力の供給を受ける。このように光源ユニット２００側にも電源端子台２６１を設けることで各電源装置に独立に電力を供給できるので、電源装置の個数を変更したい場合には容易に対応できる。
なお図１３（ａ）に示すように、電源端子台１２１と電源端子台２６１とは、長手方向Ｘの位置がずれている。このため、図１３（ｂ）のように，光源ユニット２００が器具本体１００に取り付けられた際に、上下方向Ｚにおいて、電源端子台１２１と電源端子台２６１との干渉を防止できる。
【００４６】
なお、実施の形態１では２つの電源装置２２０は光源ユニット２００に配置されるとして説明した。しかし、２つの電源装置２２０は器具本体１００に配置される構成でもよい。
【００４７】
実施の形態２．
図１４、図１５を参照して実施の形態２の照明装置１００２（図示していない）を説明する。実施の形態２では実施の形態１と異なる点を説明する。実施の形態２の照明装置１００２は照明装置１００１に対して、光源ユニット２００におけるＬＥＤ２３１の配置を定めた構成である。
【００４８】
図１４は、ＬＥＤ２３１の配置を示す図であり、図５のＦ方向から見た場合のＬＥＤ２３１の配置を示す。第１のＬＥＤモジュール２３０−１は、長手形状の基板２３２に、基板２３２の長手方向Ｘに沿って複数のＬＥＤ２３１が等しい間隔Ｘ１で直線状に配置されている。同様に、第２のＬＥＤモジュール２３０−２も、長手形状の基板２３２に、基板２３２の長手方向Ｘに沿って複数のＬＥＤ２３１が第１のＬＥＤモジュール２３０−１に配置されたＬＥＤ２３１どうしの間隔Ｘ１と同一の間隔Ｘ１で直線状に配置されている。第１のＬＥＤモジュール２３０−１に配置された複数のＬＥＤ２３１は、第２のＬＥＤモジュール２３０−２に配置された複数のＬＥＤ２３１と共に一列状に配置されている。図１４では、４個のＬＥＤ２３１にのみに間隔Ｘ１を付しているが、同じ基板２３２に配置されたその他のＬＥＤ２３１どうしの間隔も間隔Ｘ１である。また、第１のＬＥＤモジュール２３０−１の最も右のＬＥＤ２３１−１と、第２のＬＥＤモジュール２３０−２の最も左のＬＥＤ２３１−２との間隔は、間隔Ｘ２である。なお、図１４では、第１のＬＥＤモジュール２３０−１と、第２のＬＥＤモジュール２３０−２との間には隙間として領域２１５が存在し、光源取付部２１０−３の一方の面２１０−３ａがあらわれている。領域２１５により、熱膨張によってＬＥＤモジュール２３０どうしが長手方向Ｘに伸びて干渉することを防止する。
【００４９】
ＬＥＤ２３１−１は第１のＬＥＤモジュール２３０−１の複数のＬＥＤ２３１のうち第２のＬＥＤモジュール２３０−２に最も近く、ＬＥＤ２３１−２は第２のＬＥＤモジュール２３０−２の複数のＬＥＤ２３１のうち第１のＬＥＤモジュール２３０−１に最も近い。ＬＥＤ２３１−１とＬＥＤ２３１−２との間隔Ｘ２は、間隔Ｘ１の０．５倍以上、２倍以下の範囲である。
つまり、式で表現すれば、
０．５Ｘ１≦Ｘ２≦２Ｘ１
の関係である。
【００５０】
領域２１５の反射率、つまり領域２１５にあらわれている一方の面２１０−３ａの反射率が、第１のＬＥＤモジュール２３０−１、第２のＬＥＤモジュール２３０−２の各基板２３２の反射率よりも低い場合、
つまり、
領域２１５の反射率＜基板２３２の反射率
の場合、間隔Ｘ２を間隔Ｘ１よりも短くする。これによって、光の連続性を高めることができる。一方、領域２１５における一方の面２１０−３ａの反射がＬＥＤモジュール２３０の各基板２３２の反射率よりも高い場合、
つまり、
領域２１５の反射率＞基板２３２の反射率
の場合、間隔Ｘ２を間隔Ｘ１よりも長くしても光の連続性を略一定とすることができる。
【００５１】
＜間隔Ｘ１、間隔Ｘ２＞
なお、図１４ではＬＥＤ２３１どうしの間隔Ｘ１、間隔Ｘ２は、隣接するＬＥＤ２３１の発光面の中心位置どうしの、光源取付部２１０−３の長手方向Ｘにおける距離としている。この他、図１５（ａ）に示すように、各ＬＥＤ２３１において基準となる箇所を決めておき、基準箇所どうしの長手方向Ｘの間隔が間隔Ｘ１、間隔Ｘ２になるようにＬＥＤを配置してもよい。図１５（ａ）では、ＬＥＤ２３１の左側の側面を基準箇所とした。また、図１５（ｂ）に示すように、基準箇所を決めてマーキングしておき、長手方向におけるマーク間隔が間隔Ｘ１，間隔Ｘ２になるようにＬＥＤを配置してもよい。なお間隔Ｘ１、間隔Ｘ２の決め方は光の連続性を略一定とすることができるものであれば、上記の例に限定されるものではない。
【００５２】
なお、実施の形態２では、２つの電源装置２２０は、光源ユニット２００に取り付けられる。つまり、実施の形態２では、図１０に示す長手形状の２つの電源装置２２０は、光源取付部２１０−３の他方の面２１０−３ｂに取り付けられる。そして、図１０のように、第１の電源装置２２０−１は他方の面２１０−３ｂに光源取付部２１０−３の長手方向Ｘに沿って取り付けられて第１の光源モジュール２３０−１に電力を供給する。また、第２の電源装置２２０−２は、光源取付部２１０−３の長手方向Ｘに沿って第１の電源装置２２０−１と共に一列状に配置され、第２の光源部８２３０−２である第２のＬＥＤモジュール２３０−２に電力供給する。また図１４に示すように第１のＬＥＤモジュール２３０−１、第２のＬＥＤモジュール２３０−２はそれぞれコネクタ３１１−１、３１２−１を有している。第１のＬＥＤモジュール２３０−１はコネクタ３１１−１を介して第１の電源装置２２０−１から電力供給され、第２のＬＥＤモジュール２３０−２はコネクタ３１２−１を介して第２の電源装置２２０−２から電力供給される。
【００５３】
実施の形態２の光源ユニット２００では、第１の電源装置２２０−１と第２の電源装置２２０−２とは他方の面２１０−３ｂに一列状に配置される。よって光源ユニット２００は重量バランスがよいため、作業者が光源ユニット２００を器具本体１００に取り付ける際の取付性が向上する。
【００５４】
実施の形態２の光源ユニット２００では、２つのＬＥＤモジュール２３０にはＬＥＤが間隔Ｘ１で等間隔に配置されているので、重量バランスがよいという効果がある。
【００５５】
実施の形態２の光源ユニット２００では、間隔Ｘ２が間隔Ｘ１の０．５倍以上、２倍の範囲に設定されているので、基板２３２及び一方の面２１０−３ａの反射率に応じて、光の連続性を確保できる。
【００５６】
実施の形態３．
図１６、及び図１１も参照して、実施の形態３の照明装置１００３を説明する。実施の形態３では実施の形態１、２と異なる点を説明する。実施の形態３の特徴は、器具本体１００に配置される第２の取付バネ１３０−２のバネ長手方向１３９の後述する梁部１３５の長さＬ（２）が、他の２つの取付バネ１３０よりも長いことである。これにより、図１６（ｂ）において破線３１３で示す作業スペースを実施の形態１によりも広く確保できる。
【００５７】
図１６は、実施の形態３において光源ユニット２００を器具本体１００に取り付ける工程を示す図であり、図８に対応する。なお図１６では電源装置は一つを記載しており、電源装置２２０としている。
図１６において、
（ａ）は、器具本体１００への光源ユニット２００の取り付け前を示す。
（ｂ）は、器具本体１００への光源ユニット２００の取り付け途中を示し、また、コネクタ１２２とコネクタ２２２との接続作業を示す図である。
（ｃ）は、光源ユニット２００を器具本体１００の方向へ持ち上げる直前を示す。
（ｄ）は、器具本体１００へ光源ユニット２００が取り付けられた状態を示す。
【００５８】
実施の形態３の照明装置１００３は、実施の形態１の照明装置１００１に対して、第２の取付バネ１３０−２のバネ長手方向１３９の梁部１３５の長さが、第１の取付バネ１３０−１、第３の取付バネ１３０−３の梁部１３５よりも長い。
【００５９】
長尺状の器具本体１００は、長手形状の板バネである３本の取付バネ１３０を備える。実施の形態３では長手方向Ｘを長尺方向Ｘともいう。３本の取付バネ１３０は、器具本体１００の長尺方向Ｘに沿って、長尺方向Ｘにおける器具本体１００の左側の一方の端部、他方の端部及び一方の端部と他方の端部に挟まれた部分にそれぞれに、バネ長手方向１３９が長尺方向Ｘを向いて器具本体１００に配置される。
【００６０】
３本の取付バネ１３０は、図１１に示すように、固定部１３１と、梁部１３５とを有する。固定部１３１は、バネ長手方向１３９における一方の端部に形成され、器具本体１００に固定されている。梁部１３５は、固定部１３１に一体に形成され、片持ち梁として機能する。梁部１３５は、バネ長手方向１３９の終わりとなる端部に屈曲形状の屈曲部８１３３ａである先端係止部１３３ａを有する。梁部１３５は、係合部１３２と、端部に先端係止部１３３ａが形成されている円弧部１３３とから構成され、円弧形状をなす。
【００６１】
図１６（ａ）に示すように、第１の取付バネ１３０−１、第３の取付バネ１３０−３である２本の取付バネの間に配置された第２の取付バネ１３０−２は、２本の取付バネよりも、バネ長手方向１３９における梁部長さＬ（２）が長いことが、本実施の形態の特徴である。つまり、第１の取付バネ１３０−１、第２の取付バネ１３０−２、第３の取付バネ１３０−３の梁部長さをそれぞれＬ（１）、Ｌ（２）、Ｌ（３）とすれば、
Ｌ（２）＞Ｌ（１）かつＬ（２）＞Ｌ（３）
である。
【００６２】
また図１６（ａ）に示すように、第１の取付バネ１３０−１、第３の取付バネ１３０−３どうしは、バネ長手方向１３９が反対方向を向くように配置されている。図１６（ａ）では第１の取付バネ１３０−１、第３の取付バネ１３０−３のバネ長手方向１３９は、それぞれ左方向、右方向を向いている。これらの取付バネ１３０のバネ長手方向１３９は、それぞれ右方向、左方向を向いて向かい合うバネ配置でもよい。
【００６３】
なお図１６（ａ）のＦ方向から見た場合の３本の取付バネ１３０の配置は図３と同じであり、３本の取付バネ１３０は、器具本体１００の長尺方向Ｘに沿って一列状あるいは一直線状になるように配置されている。
【００６４】
図１６（ｄ）では、３つの連結具２５０は、３本の取付バネの各取付バネに一対一に対応して連結し、バネ力で引っ張られている。これによって光源ユニット２００が器具本体１００に取り付ける。
【００６５】
実施の形態３ではバネ長手方向１３９における梁部長さＬ（２）を、他の２つの取付バネ１３０の梁部長さＬ（１）及びＬ（３）よりも長くしている。このため、図８（ｂ）では上下寸法が長さＨ１の状態で第２の取付バネ１３０−２の先端係止部１３３ａが第２の連結具２５０−２の縁２５２ａに引っ掛けられた状態であるが、図１６（ｂ）では上下寸法が長さＨ１の状態では、先端係止部１３３ａまでまだ円弧部１３３が残っており、円弧部１３３は長さＨ２まで伸びる。よって、実施の形態１に対して、破線３１３で示すコネクタ取付作業のスペースを、より広く確保できる。
【００６６】
なお、光源ユニット２００を器具本体１００に取り付けた図１６（ｄ）の状態にあっては、第１の取付バネ１３０−１及び第３の取付バネ１３０−３の係合部１３２、及び第２の取付バネ１３０−２の係合部１３２が、それぞれ対応する連結具２５０の当接部２５４に当接して光源ユニット２００を保持する。つまり図１６（ｄ）における各取付バネ１３０と、対応する連結具２５０との連結状態は図８（ｄ）と同じである。よって、第２の取付バネ１３０−２の梁部長さＬ（２）が他の２つの取付バネ１３０の梁部長さＬ（１）、Ｌ（３）よりも長くなることによる、連結具２５０の光源ユニット２００の保持力低下の心配はない。
【００６７】
実施の形態３の器具本体１００によれば、２本の取付バネの間に配置された取付バネは、２本の取付バネよりも長手方向Ｘにおける梁部長さが長いので、２本の取付バネの間に配置された取付バネの屈曲部を光源ユニットの部品に引っ掛けることで、広い作業スペースを確保できる。よって、作業者が器具本体へ光源ユニットを取り付ける際の取付性が向上する。
【００６８】
なお、実施の形態３では１つの電源装置２２０は、実施の形態１と同様に光源ユニット２００に配置されることを想定する。しかし、１つの電源装置２２０は器具本体１００に配置される構成でもよい。
【００６９】
実施の形態４．
図１７〜図２３を参照して、実施の形態４の長尺状の照明装置１００４を説明する。実施の形態４では実施の形態１〜３と異なる点を説明する。実施の形態４の特徴は、光源ユニット２００において、実施の形態１〜３における第１の取付バネ１３０−１をなくして後述の差込部２８０に替え、開口１４１が形成された保持部１４０の開口１４１に差込部２８０を差し込む構成にある。この特徴によって、作業者は、第１の取付バネ１３０−１を第１の連結具２５０−１に引っ掛ける代わりに、差込部２８０を開口１４１に差し込むだけでよい。よって作業が簡単になる効果がある。
また、実施の形態４では、それぞれの連結具２５０は、差込部２８０が開口１４１に差し込まれた差込方向２８９へ、対応する取付バネ１３０のバネ力で押されるという特徴がある。この特徴によって、差込部２８０が開口１４１から抜けにくくなる効果がある。
【００７０】
図１７は、照明装置１００４において、器具本体１００への器具本体１００の取り付け工程を示す図であり、図８に対応する。なお、図１７では電源装置は一つを記載しており、電源装置２２０としている。
図１８は、器具本体１００の保持部１４０を示す部分拡大図である。
図１９は、差込部２８０を示す光源ユニット２００の斜視図である。
図２０は、差込部２８０を示す光源ユニット２００の斜視図である。
図２１は、差込部２８０の斜視図である。
図２２は、差込部２８０の側面図である。
図２３（ａ）（ｂ）は、それぞれ、図１７（ｂ）（ｄ）に対応する図である。
【００７１】
実施の形態４では長手方向Ｘを長尺方向Ｘともいう。図１７（ａ）に示すように、器具本体１００は、長尺方向の一方の端部に配置され、開口１４１が形成された保持部１４０と、一方の端部と、長尺方向Ｘの他方の端部との間に配置された複数の取付バネ１３０とを備える。図１７（ａ）に示す照明装置１００４は複数の取付バネ１３０として２つの取付バネ１３０を配置した場合を示しているが、３つ以上の取付バネ１３０を配置しても良い。２つの取付バネ１３０を、第２の取付バネ１３０−２、第３の取付バネ１３０−３と呼ぶ。
【００７２】
光源ユニット２００は、２つの連結具２５０と、差込部２８０とを備える。第２の取付バネ１３０−２、第３の取付バネ１３０−３に対応する連結具２５０をそれぞれ第２の連結具２５０−２、第３の連結具２５０−３とする。２つの連結具２５０は２つの取付バネ１３０に一対一に対応して連結し、バネ力で引っ張られる。図１７（ｄ）に示すように、差込部２８０は、保持部１４０の開口１４１に、器具本体１００の他方の端部から一方の端部に向かう方向である差込方向２８９に差し込まれた状態で、保持部１４０に保持されている。
【００７３】
図１７（ｄ）に示すように、２つの連結具２５０は、差込方向２８９へバネ力で押される。つまり、第２の連結具２５０−２及び第３の連結具２５０−３には、方向１３８へ、第２の取付バネ１３０−２、第３の取付バネ１３０−３からのバネ力が作用する。よって、第２の連結具２５０−２及び第３の連結具２５０−３は、方向１３８のバネ力の差込方向成分で差込方向２８９へバネ力で押される。
【００７４】
第２の取付バネ１３０−２、第３の取付バネ１３０−３の構成は実施の形態３で説明したものと同じである。
【００７５】
図１７（ｄ）に示すように、照明装置１００４の器具本体１００では、２つの取付バネ１３０は、バネ長手方向１３９が差込方向２８９と同じ方向を向いている。
【００７６】
なお２つの取付バネ１３０は、板バネであり、梁部１３５は、円弧形状をなすは実施の形態１〜３と同じである。また、図１７（ａ）においてＦ方向から見た場合の２本の取付バネ１３０の配置は、図３の第２の取付バネ１３０−２、第３の取付バネ１３０−３と同じであり、２本の取付バネ１３０は、器具本体１００の長尺方向Ｘに沿って一列状になるように配置されている。
【００７７】
＜差込部２８０＞
図１９〜図２２を参照して差込部２８０を説明する。差込部２８０は、ピアノ線を折り曲げて形成される。差込部２８０は、取付部２８１、立上部２８２、支持部２８３、差込端部２８４、先端連結部２８５を備える。一対の取付部２８１は、光源ユニット２００の光源取付部２１０−３に取り付けられる。一対の取付部２８１の端部は略直角に曲げられて一対の曲げ部２８１ａが形成されている。図２０に示すように、光源取付部２１０−３には一対の曲げ部２８１ａ、一対の取付部２８１を取り付けるために切り起こされた、一対の第１の切り起こし部２１０−３−１、一対の第２の切り起こし部２１０−３−２が形成されている。図２２に示すように、一対の立上部２８２は、それぞれの取付部２８１から他方の面２１０−３ｂの法線の方向に略垂直方向に立ち上がる。一対の支持部２８３は、それぞれの立上部２８２から他方の面２１０−３ｂに向かって斜め下方向に折り曲げられて形成される。一対の差込端部２８４は、それぞれの支持部２８３から他方の面２１０−３ｂから離れる斜め上方向に折り曲げられて形成される。先端連結部２８５は、それぞれの差込端部２８４の端部どうしを連結している。一対の差込端部２８４と、先端連結部２８５とは、引っ掛け摺動部２８６を構成する。
【００７８】
＜保持部１４０＞
図１８を参照して保持部１４０を説明する。端板部１１８−１には、内部側に、保持部１４０が取り付けられている。保持部１４０は角形状の開口１４１が形成されている。開口１４１には、図２１、図２２に破線で示す引っ掛け摺動部２８６が差し込まれる。以下では図１７を参照して、光源ユニット２００を器具本体１００に取り付ける工程を説明する。
【００７９】
（図１７（ａ））
（ａ）は、光源ユニット２００が本体部１１０に取り付けられる前の状態である。
【００８０】
（図１７（ｂ））
まず、作業者は、光源ユニット２００の長手方向Ｘの差込部２８０側を、器具本体１００の長手方向Ｘの保持部１４０側に押し当て、差込部２８０を保持部１４０の開口１４１に挿入する。図２３（ａ）は、差込部２８０を保持部１４０の開口１４１に挿入する際の、保持部１４０と差込部２８０との関係を模式的に示す断面図である。なお差込部２８０と光源蓋部２４０−１は断面にしていない。差込部２８０では、引っ掛け摺動部２８６が開口１４１の縁１４２に乗り上げて図２３（ａ）のＦ１方向に弾性変形しており、引っ掛け摺動部２８６が縁１４２を押圧している。なお寸法Ａは端板部１１８−１の下面１１８−１−１から縁１４２までの上下方向の寸法である（図１８参照）。
【００８１】
次に、作業者は、略中央の第２の取付バネ１３０−２の先端係止部１３３ａを、光源ユニット２００の略中央の第２の連結具２５０−２の開口２５２の縁２５２ａに引っ掛ける。これにより光源ユニット２００を器具本体１００に仮止め状態にできる。仮止め状態にすることで、図１７（ｂ）のように、角度θ開いた状態になる。よって、コネクタ１２２とコネクタ２２２とを結線する破線３１３で示す作業空間が得られるので、作業性が向上する。
【００８２】
（図１７（ｃ））
次に、作業者は、器具本体１００の第３の取付バネ１３０−３を第３の連結具２５０−３に取り付け、光源ユニット２００を器具本体１００に押し上げる。
【００８３】
（図１７（ｄ））
これによって、光源ユニット２００は、保持部１４０を回転中心として回転して、器具本体１００に取り付けられる。つまり、作業者は、開口１４１に差し込んだ図２３（ａ）の状態の差込部２８０を回転の中心として、光源ユニット２００を回転させて、光源ユニット２００が器具本体１００に装着された図１７（ｄ）の状態にする。図２３（ｂ）は、図１７（ｄ）における、保持部１４０と差込部２８０との関係を示す断面図である。図２３（ｂ）では、光源蓋部２４０−１の上面２４０−１−１が端板部１１８−１の底面１１８−１−１に当接しており、また引っ掛け摺動部２８６はＦ２方向に弾性変形しており縁１４２を反Ｆ方向に押圧している。
【００８４】
このように実施の形態４によれば、照明装置１００４は保持部１４０及び差込部２８０を備えるので、長尺状の光源ユニット２００を器具本体１００に取り付ける際、第１の取付バネ１３０−１を第１の連結具２５０−１に取り付ける必要がなく、差込部２８０を保持部１４０の開口１４１に差し込めばよい。よって、作業者は第１の取付バネ１３０−１の方へ移動する必要がなくなる効果が得られる。
【００８５】
また、照明装置１００４では、２本の取付バネ１３０によって、対応する連結具２５０を差込方向２８９に押すので、差込部２８０が開口１４１から外れにくい効果がある。
【００８６】
なお、実施の形態４では１つの電源装置２２０は、実施の形態１と同様に光源ユニット２００に配置されることを想定する。しかし、１つの電源装置２２０は器具本体１００に配置される構成でもよい。
【００８７】
以上、本発明の実施の形態１〜４について説明したが、これらの実施の形態のうち、２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。なお、本発明は、これらの実施の形態に限定されるものではなく、必要に応じて種々の変更が可能である。
【符号の説明】
【００８８】
Ｘ  長手方向、Ｙ  短手方向、Ｄ  起立方向、Ｅ  横方向、Ｆ，Ｇ  方向、Ｃ  中心軸、１００  器具本体、１１０  本体部、１１１  凹部、１１１−３  平板部、１１１−１  第１の器具本体側壁部、１１１−１ａ，１１１−２ａ  内面、１１１−２  第２の器具本体側壁部、１１２−１，１１２−２  傾斜部、１１３  移動規制部、１１３−１  第１の移動規制部、１１３ａ−１  第１の上方向移動規制部、１１３ｂ−１  第１の横方向移動規制部、１１３−２  第２の移動規制部、１１３ａ−２  第２の上方向移動規制部、１１３ｂ−２  第２の横方向移動規制部、１１４−１  第１のラッチ部、１１４−２  第２のラッチ部、１１８−１、１１８−２  端板部、１２０  電源電線取付部、１２１  電源端子台、１２２  コネクタ、１２３  電線、１３０  取付バネ、１３０−１  第１の取付バネ、１３０−２  第２の取付バネ、１３０−３  第３の取付バネ、１３１  固定部、１３２  係合部、１３３  円弧部、１３３ａ  先端係止部、１３５  梁部、１３８  方向、１３９  バネ長手方向、１４０  保持部、１４１  開口、１４２  縁、２００  光源ユニット、２０１  第１の光源ユニット側壁部、２０１Ｌ  上方向の端部２０１Ｕよりも下の部分、２０１Ｕ  上方向の端部、２０２  第２の光源ユニット側壁部、２０２Ｌ  上方向の端部２０２Ｕよりも下の部分、２０２Ｕ  上方向の端部、２１０  取付部、２１０ｃ  取付側固定部、２１０ｄ  ねじ、２１０Ｌ  切欠き、２１０Ｒ  切欠き、２１０−１  第１の取付側壁部、２１０−１ａ  第１のカール部、２１０−２  第２の取付側壁部、２１０−２ａ  第２のカール部、２１０−３  光源取付部、２１０−３−１  一対の第１の切り起こし部、２１０−３−２  切り起こし部、２１０−３ａ  一方の面、２１０−３ｂ  他方の面、２１５  領域、２２０  電源装置、２２０−１  第１の電源装置、２２０−２  第２の電源装置、２２２  コネクタ、２２３  電線、２３０  ＬＥＤモジュール、２３０−１  第１のＬＥＤモジュール、２３０−２  第２のＬＥＤモジュール、２３１  ＬＥＤ、２３１−１  ＬＥＤ、２３１−２  ＬＥＤ、２３２  基板、２４０  透光性カバー、２４０−１，２４０−２  光源蓋部、２４０−１−１  上面、２４１  カバー本体、２４１−１，２４１−２  縁、２４２  カバー側壁部、２４２−１  第１のカバー側壁部、２４２−２  第２のカバー側壁部、２４２−１ａ  第１の引っ掛け部、２４２−２ａ  第２の引っ掛け部、２４３  支持部、２４３−１  第１の支持部、２４３−２  第２の支持部、２４３−１ａ  第１の支持凸部、２４３−２ａ  第２の支持凸部、２５０  連結具、２５０−１  第１の連結具、２５０−２，第２の連結具、２５０−３  第３の連結具、２５１  固定部、２５２  開口、２５２ａ  縁、２５３  立上部、２５４  当接部、２６１  電源端子台、２６２  コネクタ、２６３，２６４，２６５  電線、２８０  差込部、２８１  取付部、２８１ａ  曲げ部、２８２  立上部、２８３  支持部、２８４  差込端部、２８５  先端連結部、２８６  引っ掛け摺動部、２８９  差込方向、３１０，３１１，３１２  電線、３１１Ｌ  Ｕ字状、３１１−１  コネクタ、３１２Ｒ  Ｕ字状、３１２−１  コネクタ、３１３  破線、８２３０−１  第１の光源部、８２３０−２  第２の光源部、８１３３��  屈曲部、１００１，１００２，１００３，１００４  照明装置。
【図１】
2019175873.tif 000003
【図２】
2019175873.tif 000004
【図３】
2019175873.tif 000005
【図４】
2019175873.tif 000006
【図５】
2019175873.tif 000007
【図６】
2019175873.tif 000008
【図７】
2019175873.tif 000009
【図８】
2019175873.tif 000010
【図９】
2019175873.tif 000011
【図１０】
2019175873.tif 000012
【図１１】
2019175873.tif 000013
【図１２】
2019175873.tif 000014
【図１３】
2019175873.tif 000015
【図１４】
2019175873.tif 000016
【図１５】
2019175873.tif 000017
【図１６】
2019175873.tif 000018
【図１７】
2019175873.tif 000019
【図１８】
2019175873.tif 000020
【図１９】
2019175873.tif 000021
【図２０】
2019175873.tif 000022
【図２１】
2019175873.tif 000023
【図２２】
2019175873.tif 000024
【図２３】
2019175873.tif 000025